(57)【特許請求の範囲】
【請求項１】
内外部からの電磁波を遮蔽するために取付枠に取付けられる電磁波シールドロールスクリーンであって、
巻取パイプに巻取り及び巻解き可能にスクリーンが連結され、
前記巻取パイプのスクリーン導出位置にはスクリーンと接触する上部導電性部材が設けられており、
前記取付枠の両側部には、前記スクリーンの両側端部と接触し、該スクリーンの昇降方向に沿って配される側部導電性部材が設けられており、
前記スクリーンの下端に取付けられるウエイトバーの下端には取付枠に接触可能な下部導電性部材が設けられており、
前記スクリーンは内部に導電層を有すると共に、非導電層によってその外表面が被覆されており、
前記スクリーンの上部、左右両側端部及び下部には、導電性帯状部材が導電性糸によって縫着されており、該スクリーンは、この導電性糸及び導電性帯状部材を介してそれぞれ前記上部導電性部材、側部導電性部材及び下部導電性部材に電気的に導通されることを特徴とする電磁波シールドロールスクリーン。
【請求項２】
前記下部導電性部材は、ウエイトバーの下端面に左右幅略全体に亘り取り付けられており、前記導電性帯状部材と下部導電性部材とはウエイトバーに左右幅略全体に亘り固着された導電性テープによって接続されることを特徴とする請求項１記載の電磁波シールドロールスクリーン。
【請求項３】
前記下部導電性部材はクッション性を備えており、取付枠に弾接可能であることを特徴とする請求項２記載の電磁波シールドロールスクリーン。
【請求項４】
前記上部導電性部材は、スクリーンの両面に接触するべくスクリーンの表面側と裏面側にそれぞれ設けられていることを特徴とする請求項１ないし３のいずれかに記載の電磁波シールドロールスクリーン。
【請求項５】
前記巻取パイプ及び前記上部導電性部材が導電性ヘッドボックスに収納され、前記側部導電性部材が導電性ガイドレールに収納され、導電性ヘッドボックスと取付枠、及び導電性ガイドレールと取付枠との間には導電性充填材が充填されることを特徴とする請求項１ないし４のいずれかに記載の電磁波シールドロールスクリーン。
【発明の詳細な説明】
【０００１】
【発明の属する技術分野】
本発明は、内外部からの電磁波を遮断するために、窓枠等の取付枠に取付けられる電磁波シールドロールスクリーンに関するものである。
【０００２】
【従来の技術】
近年、オフィスビルなどでは、ＯＡ機器等に障害をおよばす外部からの電磁波を遮蔽することが望まれている。また、最近では、社内ネットワークの構築により膨大な通信回線が必要となっており、有線方式の通信は一度配線作業を行ってしまうとレイアウト変更による配線の変更作業が非常に煩わしいものとなるため、ビル内での無線方式の通信が提案されており、例えば、ビル内での無線ＬＡＮやＰＨＳによる通信が行われるようになっている。しかしながら、この通信を行うためには、外部からの電磁波を遮蔽し、同時に内部からの電磁波の漏洩を防止する必要がある。
【０００３】
上記課題を解決するものとして、特開平９−７０３５１号公報に電磁遮蔽材からなるカーテンを、また、特開平９−７２０１８号公報に電磁遮蔽材からなるブラインドをそれぞれ窓開口部の内側に配置し、カーテン又はブラインドと窓開口部の縁との間の隙間に導電性材料を配置して、窓開口部の電磁遮蔽を行うものがある。
【０００４】
【発明が解決しようとする課題】
しかしながら、上記従来のものでは、窓、導電性材料、カーテン又はブラインドは、それぞれ互いに前後方向に距離が開いており、カーテン又はブラインドの側端部と導電性材料とは接触しているわけではないので、カーテン又はブラインドの側端部と導電性材料との間から電磁波が漏洩する可能性がある。
上記課題を解決するために、本出願人は特願平９−３５９０２５号にてスクリーンの周囲からの電磁波の漏洩を確実に阻止することができるロールスクリーンを提案するが、本発明は、同じ目的を達成するためにさらなる改良を行った電磁波ロールスクリーンを提供することをその目的とする。
【０００５】
【課題を解決するための手段】
前述した目的を達成するために、本発明のうちで請求項１記載の発明は、内外部からの電磁波を遮蔽するために取付枠に取付けられる電磁波シールドロールスクリーンであって、
巻取パイプに巻取り及び巻解き可能にスクリーンが連結され、
前記巻取パイプのスクリーン導出位置にはスクリーンと接触する上部導電性部材が設けられており、
前記取付枠の両側部には、前記スクリーンの両側端部と接触し、該スクリーンの昇降方向に沿って配される側部導電性部材が設けられており、
前記スクリーンの下端に取付けられるウエイトバーの下端には取付枠に接触可能な下部導電性部材が設けられており、
前記スクリーンは内部に導電層を有すると共に、外表面は非導電層を有しており、
前記スクリーンの上部、左右両側端部及び下部には、導電性帯状部材が導電性糸によって縫着されており、該スクリーンは、この導電性糸及び導電性帯状部材を介してそれぞれ前記上部導電性部材、側部導電性部材及び下部導電性部材に電気的に導通されることを特徴としたものである。
【０００６】
スクリーンの上部はスクリーン導出位置に設けられた上部導電性部材に、スクリーンの両側端部はスクリーンの昇降方向に沿って配される側部導電性部材に、スクリーンの下部はウエイトバーの下端に設けられた下部導電性部材に、それぞれスクリーンの導電層が導電性糸及び導電性帯状部材を介して電気的に導通される。
上部導電性部材、側部導電性部材及び下部導電性部材によって、スクリーンと窓枠との間の四方の隙間が遮蔽されるため、電磁波の侵入を阻止することができる。
スクリーンの上部、左右両側端部及び下部には、導電性帯状部材が導電性糸によって縫着されていることから、導電性を有するスクリーンの外表面が非導電層で被覆されていても、この導電性糸及び導電性帯状部材を介して確実に上部導電性部材、側部導電性部材及び下部導電性部材とスクリーンとが電気的に導通される。
【０００７】
本発明のうちで請求項２記載の発明は、請求項１記載のものにおいて、前記下部導電性部材は、ウエイトバーの下端面に左右幅略全体に亘り取り付けられており、前記導電性帯状部材と下部導電性部材とはウエイトバーの左右幅略全体に亘り固着された導電性テープによって接続されることを特徴とする。
ウエイトバーに導電性がなくても、導電性帯状部材と下部導電性部材との間が導電性テープによってウエイトバーの左右幅略全体に亘り電気的に導通する。
【０００８】
本発明のうちで請求項３記載の発明は、請求項２記載のものにおいて、前記下部導電性部材はクッション性を備えており、取付枠に弾接可能であることを特徴とする。
スクリーンの全閉時、ウエイトバーが最下降位置まで下降しているときに、下部導電性部材がクッション性をもっており、窓枠に弾接するため、左右幅略全体に亘り、確実に窓枠と接触する。
【０００９】
本発明のうちで請求項４記載の発明は、請求項１ないし３のいずれかに記載のものにおいて、前記上部導電性部材は、スクリーンの両面に接触するべくスクリーンの表面側と裏面側にそれぞれ設けられていることを特徴とする。
スクリーンの表面側と裏面側のそれぞれにおいて、スクリーンと上部導電性部材とが電気的に導通するために、それらの隙間からの電磁波の漏洩を防止する。
【００１０】
本発明のうちで請求項５記載の発明は、請求項１ないし４のいずれかに記載のものにおいて、前記巻取パイプ及び前記上部導電性部材が導電性ヘッドボックスに収納され、前記側部導電性部材が導電性ガイドレールに収納され、導電性ヘッドボックスと取付枠、及び導電性ガイドレールと取付枠との間には導電性充填材が充填されることを特徴とする。
導電性ヘッドボックスと取付枠、及び導電性ガイドレールと取付枠との間にできる隙間を導電性充填材で充填させることにより、これらの隙間からの電磁波の漏洩を防止する。
【００１１】
【発明の実施の形態】
以下、図面を用いて本発明の実施の形態を説明する。
図１に示したように、ロールスクリーン１０が、窓枠等の取付枠１２に取り付けられており、ロールスクリーン１０のヘッドボックス２２が、取付金具２３によって取付枠１２の上枠１２ａに取付固定されている。ヘッドボックス２２内には、巻取パイプ２４が回転可能に支持されており、巻取パイプ２４には、導電性を有するスクリーン２６が巻取り及び巻降し可能に連結されている。
スクリーン２６は、図４に示したように、天然繊維または合成繊維からできた織物、編物または不織布である基層２６ａと、基層２６ａの表面にメッキ法、スパッタリング法、蒸着法、スプレー法によって被覆された銅、ニッケル、銀等の導電層２６ｂと、導電層２６ｂの上にさらに被覆された非導電層２６ｃとから構成される。非導電層２６ｃは、着色または撚れ防止を目的として導電層２６ｂの上に被覆される着色材または樹脂コーティング材である。但し、スクリーン２６は、基層２６ａ自体が金属製糸からできた導電性を有するものとすることもできる。
【００１２】
そして、図３及び図４に示したように、スクリーン２６の上部、左右両側部及び下部には、導電性帯状部材３２ａ、３２ｂ、３２ｃが導電性糸３４によって縫着されている（導電性帯状部材３２ｃのみ室外側に縫着されている。また、尚、導電性帯状部材３２ａ、３２ｂ、３２ｃは、スクリーン２６の片面側のみに縫着されているが、両面に縫着されるものでもよい。）。導電性帯状部材３２ａ、３２ｂ、３２ｃは、具体的には、金属ワイヤからなる織物、編物を使用することができ、導電性糸３４は、ステンレススチール繊維であるナスロン糸を使用することができる。スクリーン２６の表裏を貫通する導電性糸３４によって、スクリーン２６の内部にある導電層２６ｂとスクリーン２６の外表面に縫着される導電性帯状部材３２ａ、３２ｂ、３２ｃが電気的に導電される。
また、スクリーン２６の両側部には、後述のガイドレール１４に抜け止めされる抜け止め部２７ａを有するファスナ２７が縫着されている。
【００１３】
ヘッドボックス２２の下部、即ち、巻取パイプ２４のスクリーン２６導出位置には、スクリーン２６と接触する上部導電性部材が設けられている。図５ないし図７に詳細に示したように、上部導電性部材は、導電性の材料からなりスクリーン２６の室内側に接触してその導出を誘導するガイドローラ２８と、表面に導電性テープ３１が固着され、スクリーン２６の室外側に接触してその導出を誘導する導電性のＬ字状部材３０と、から構成される。これらガイドローラ２８とＬ字状部材３０とはそれぞれヘッドボックス２２に固定されており、スクリーン２６の左右幅略全体に亘って設けられる。ガイドローラ２８は、その両端がヘッドボックス２２に支持されているが、回転可能である必要はない。ガイドローラ２８のスクリーン２６とヘッドボックス２２との間の奥行き方向の隙間には導電性クッション材２９が挿設されており、導電性クッション材２９がガイドローラ２８を常時、スクリーン２６方向に押し付けている。導電性クッション材２９としては、例えば、ウレタンフォームの芯の周囲に金属ワイヤからなる織物、編物で包囲したものを使用することができる。
【００１４】
ガイドローラ２８は、スクリーン２６の上部に縫着された導電性帯状部材３２ａに直接接触しており、導電性糸３４及び導電性帯状部材３２ａを介して、スクリーン２６の導電層２６ｂと導通されている。さらに、ガイドローラ２８は、導電性クッション材２９を介して導電性のヘッドボックス２２に導通され、さらにヘッドボックス２２からは取付枠１２、建物の躯体または躯体に配設された電磁遮蔽体に接続され、必要によってさらにアースへと接続される。ヘッドボックス２２と取付枠１２との間はカーボンフェルトのような導電性充填材３５で隙間なく充填される（図２参照）。
Ｌ字状部材３０は、スクリーン２６とヘッドボックス２２との間の奥行き方向の隙間を塞ぐと共に、ガイドローラ２８と反対側にあってスクリーン２６をガイドローラ２８の方に押し付けて、スクリーン２６とガイドローラ２８とが確実に接触するよう補助している。
【００１５】
取付枠１２の両側面１２ｃには、ヘッドボックス２２の下端部から取付枠１２の下枠１２ｂにかけて、一対のガイドレール１４が取付けられている。ガイドレール１４は、図８に詳細に示したように、その内部にインナレール１５が設けられており、インナレール１５がスクリーン２６の両側部に縫着されたファスナ２７の端部に設けられた抜け止め部２７ａを挟んでいる。さらに、ガイドレール１４のガイドレール開口部１４ａ付近には、側部導電性部材である導電性ブラシ１６が固定されている。導電製ブラシ１６は、スクリーン２６の表面側である室内側に接触する導電性ブラシ１６ａと、スクリーン２６の裏面側である室外側に接触する導電性ブラシ１６ｂと、から構成される。導電性ブラシ１６ａは、スクリーン２６の側部に縫着された導電性帯状部材３２ｂに直接接触しており、導電性糸３４及び導電性帯状部材３２ｂを介して、スクリーン２６の導電層２６ｂと導通されている。さらに導電性ブラシ１６は、導電性のガイドレール１４を介して、取付枠１２、建物の躯体または躯体に配設された電磁遮蔽体に接続され、必要によってさらにアースへと接続される。
【００１６】
ガイドレール１４は、チャネル材１７を挟み込んだ状態で取付枠１２の両側面１２ｃにネジ１３にて取り付けられるが、チャネル材１７の両側にできるガイドレール１４と取付枠１２との間の隙間には、カーボンフェルトのような導電性充填材３５が充填される。
導電性ブラシ１６は、ガイドレール１４のガイドレール開口部１４ａの上下方向略全長にわたって設けられ、スクリーン２６の両側端部は常時導電性ブラシ１６に接触しつつガイドレール１４に沿って昇降可能となっている。
【００１７】
図９ないし図１０に示すように、スクリーン２６の下端部は、ウエイトバー３６内に挿入されており、ウエイトバー３６がスクリーン２６の最下端部に設けられた抜け止め部２６ｄを挟み付けている。同様に、ウエイトバー３６は、スクリーン２６の下部に縫着された導電性帯状部材３２ｃを挟み付けている。
ウエイトバー３６には、その内部の前記導電性帯状部材３２ｃと対向する部位から室外側外面、さらに下端面にかけて導電性テープ３８が固着されている。導電性テープ３８として、具体的には、銅箔等を使用することができる。そして、ウエイトバー３６の下端面において、導電性テープ３８には、導電性両面接着テープ４０によって下部導電性部材である導電性クッション材４２が接着されている。導電性クッション材４２としては、導電性クッション材２９と同様のものを使用することができる。
【００１８】
これら導電性テープ３８及び導電性クッション材４２は、ウエイトバー３６の左右幅略全体に亘り取り付けられている。そして、導電性クッション材４２は、スクリーン２６の全閉時に、取付枠１２の下枠１２ｂに弾接しており、導電性クッション材４２は、導電性テープ３８、導電性糸３４及び導電性帯状部材３２ｃを介してスクリーン２６の導電層２６ｂと導通されている。さらに、導電性クッション材４２は、取付枠１２、建物の躯体または躯体に配設された電磁遮蔽体に接続され、必要によってさらにアースへと接続される。
【００１９】
次に、以上のように構成されるロールスクリーン１０の作用を説明する。
ロールスクリーン１０は、手動または電動の適宜昇降手段によって昇降する。手動の場合、ウエイトバー３６に取り付けられた操作紐４４を下方に引っ張ることによって、スクリーン２６は、巻取パイプ２４から巻解かれ、ガイドレール１４に沿って下降していく。ウエイトバー３６が最下降位置まで下降して図示しないストッパー手段にてスクリーン２６の昇降が停止されると、導電性クッション材４２が取付枠１２の下枠１２ｂに弾接する。
【００２０】
このように、スクリーン２６が完全に下降した全閉時において、電磁波が、外部からスクリーン２６を通り侵入、または外部へスクリーン２６を通り漏洩しようとしても、内部に導電層２６ｂを有するスクリーン２６によって吸収される。スクリーン２６の上部は導電性帯状部材３２ａ及び導電性糸３４によって、ガイドローラ２８に電気的に導通しており、スクリーン２６の左右両側部は導電性帯状部材３２ｂ及び導電性糸３４によって導電性ブラシ１６に電気的に導通しており、さらに、スクリーン２６の下部は導電性帯状部材３２ｃ及び導電性糸３４によって、導電性クッション材４２に電気的に導通しているため、静電容量を多く確保することができる。
スクリーン２６の上部において、ガイドローラ２８とＬ字状部材３０とがスクリーン２６の両面に接触しているため、スクリーン２６とヘッドボックス２２の導出口との間にできる奥行き方向の隙間からの電磁波の漏洩を防止することができる。
【００２１】
導電性クッション材４２のクッション性のために、ウエイトバー３６が最下降位置まで下降したときのウエイトバー３６の位置と下枠１２ｂとの間に上下方向の寸法誤差があっても、またはウエイトバー３６と下枠１２ｂの間が正確に平行でなくとも、導電性クッション材４２が適宜変形してその誤差を緩衝するので、導電性クッション材４２が下枠１２ｂに確実に接触し、スクリーン２６下方からの電磁波の侵入を防止する。
さらには、導電性充填材３５がガイドレール１４と取付枠１２との間の隙間、及びヘッドボックス２２と取付枠１２との間の隙間に充填されているため、これらの隙間からの電磁波の侵入を防止することができる。
結果として、スクリーン２６の上下左右端部からの電磁波の侵入を阻止することができる。
【００２２】
【実施例】
下表の部材を用いて、シールド試験を行った。
【００２３】
【表１】
0003930973.tif 000002
【００２４】
試験は、隔壁に電磁波シールドロールスクリーンを取り付け、スクリーン２６の裏面側から電磁波（３０ＭＨｚ〜３．６ＧＨｚ）の水平偏波及び垂直偏波を送信し、それぞれ表面側に漏洩した量を測定した。その差からシールド値を換算した。送信アンテナからスクリーンまでの距離及び受信アンテナからスクリーンまでの距離を１ｍ、送受信アンテナの距離を２ｍとした。
その結果を図１１に示す。図のグラフから明らかなように、無線ＬＡＮ、ＰＨＳ及び携帯電話で用いる８００ＭＨｚ〜２ＧＨｚの周波数帯域で、３０ｄＢ以上の遮蔽値を得ることができた。
【００２５】
【発明の効果】
以上説明したように、本発明のうち請求項１ないし５記載の発明によれば、スクリーンの上部はスクリーン導出位置に設けられた上部導電性部材に、スクリーンの両側端部はスクリーンの昇降方向に沿って配される側部導電性部材に、スクリーンの下部はウエイトバーの下端に設けられた下部導電性部材に、それぞれスクリーンの導電層が導電性糸及び導電性帯状部材を介して電気的に導通されるため、静電容量を多く確保することができる。
スクリーンと取付枠との間の四方の隙間が上部導電性部材、側部導電性部材及び下部導電性部材によって遮蔽されるため、外部との隙間が遮蔽されスクリーンの上下左右端部からの電磁波の侵入を阻止することができる。
スクリーンの上部、左右両側部及び下部には、導電性帯状部材が導電性糸によって縫着されていることから、導電性を有するスクリーンの外表面が非導電層で被覆されていても、この導電性糸及び導電性帯状部材を介して確実に上部導電性部材、側部導電性部材及び下部導電性部材とスクリーンとを電気的に導通させることができる。
【００２６】
また、本発明のうちで請求項２記載の発明によれば、ウエイトバーに導電性がなくても、導電性帯状部材と下部導電性部材との間を導電性テープによってウエイトバーの左右幅略全体に亘り電気的に導通させることができる。
【００２７】
また、本発明のうちで請求項３記載の発明によれば、スクリーンの全閉時、ウエイトバーが最下降位置まで下降したときに、下部導電性部材がクッション性をもっており窓枠に弾接するため、左右幅略全体に亘り、確実に窓枠と接触することができ、スクリーン下方の隙間を遮蔽することができ、スクリーン下方からの電磁波の侵入を防止することができる。
【００２８】
また、本発明のうちで請求項４記載の発明によれば、スクリーンの室内側と室外側のそれぞれにおいて、スクリーンと上部導電性部材とが電気的に導通するために、それらの隙間からの電磁波の漏洩を防止することができる。
【００２９】
また、本発明のうちで請求項５記載の発明によれば、導電性ヘッドボックスと取付枠、及び導電性ガイドレールと取付枠との間にできる隙間を導電性充填材で充填させることにより、これらの隙間からの電磁波の漏洩を防止することができる。
【図面の簡単な説明】
【図１】本発明の電磁波ロールスクリーンの実施の形態を表す側断面図である。
【図２】図１の電磁波ロールスクリーンの正面図である。
【図３】図１のスクリーンの斜視図である。
【図４】図３の４−４線に沿って見た断面図である。
【図５】ヘッドボックス内部の室内側の部分斜視図である。
【図６】ヘッドボックス内部の室外側の部分斜視図である。
【図７】図２の７−７線に沿って見た断面図である。
【図８】図２の８−８線に沿って見た断面図である。
【図９】図２の９−９線に沿って見た断面図である。
【図１０】図９の分解斜視図である。
【図１１】本発明の電磁波ロールスクリーンのシールド試験の結果を表すグラフである。
【符号の説明】
１０  ロールスクリーン
１２  取付枠
１４  ガイドレール
１６（１６ａ、１６ｂ）  導電性ブラシ（側部導電性部材）
２２  ヘッドボックス
２４  巻取パイプ
２６  スクリーン
２６ｂ  導電層
２６ｃ  非導電層
２８  ガイドローラ（上部導電性部材）
３０  Ｌ字状部材（上部導電性部材）
３２（３２ａ、３２ｂ、３２ｃ）  導電性帯状部材
３４  導電性糸
３５  導電性充填材
３６  ウエイトバー
３８  導電性テープ
４２  導電性クッション材（下部導電性部材）
【図１】
0003930973.tif 000003
【図２】
0003930973.tif 000004
【図３】
0003930973.tif 000005
【図４】
0003930973.tif 000006
【図５】
0003930973.tif 000007
【図６】
0003930973.tif 000008
【図７】
0003930973.tif 000009
【図８】
0003930973.tif 000010
【図９】
0003930973.tif 000011
【図１０】
0003930973.tif 000012
【図１１】
0003930973.tif 000013